【手続補正書】
【提出日】平成29年3月7日(2017.3.7)
【手続補正１】
【補正対象書類名】明細書
【補正対象項目名】００３１
【補正方法】変更
【補正の内容】
【００３１】
図２及び図３は、この実施形態に係るシート状量子電池１（以下、単に「シート状電池１」とも記す）を示す図である。図２は、シート状電池１の正面図であり、図３は、図２のシート状電池１のＡ−Ａ線断面図である。
【手続補正２】
【補正対象書類名】明細書
【補正対象項目名】００８１
【補正方法】変更
【補正の内容】
【００８１】
そして、一対の折曲部１２５ａ、１２５ｂの間にシート状電池１が通っている状態で、回動部１２８を支持面部１２９ａ、１２９ｂがシート状電池１と接する方向に回転させ、支持面部１２９ａ、１２９ｂとシート状電池１が接した後さらに所定角度回転させる。これにより折曲部１２５ａ、１２５ｂの先端部１２４ａ、１２４ｂによりシート状電池１が折り曲げられる。さらに、折曲部１２５ａ、１２５ｂの斜面部１２７ａ、１２７ｂと略平行なプレス面を有するプレス部１２６ａ、１２６ｂが斜面部１２７ａ、１２７ｂに向けて移動してシート状電池１を押圧する。これにより、折曲部１２５ａ、１２５ｂの先端部１２４ａ、１２４ｂの位置するところが折り目となりシート状電池１は折り曲げられる。
【手続補正３】
【補正対象書類名】明細書
【補正対象項目名】００９０
【補正方法】変更
【補正の内容】
【００９０】
なお、折り畳まれたシート状電池１の上面と下面については、その電極層に応じた電極端子板が配置される。例えば蛇腹状電池１の上面及び下面が負極層３の場合は、蛇腹状電池１の下面の下に負極端子板２２が配置され、上面の上に負極端子板２２が載せられる。
【手続補正４】
【補正対象書類名】明細書
【補正対象項目名】００９４
【補正方法】変更
【補正の内容】
【００９４】
なお、試験装置１００は、上記構成要素以外に他の構成要素を含むものであっても良い。例えば、電池折畳部５１は、シート状電池１の張力を制御するための機構部や、シール状電池１の幅方向の位置を検知して所定位置に電気接続用の電極端子を固定するための機構部等を備えるようにしても良い。また、シート状電池１を保持して送り出すためのローラを適宜設けてもよい。
【手続補正５】
【補正対象書類名】明細書
【補正対象項目名】０１３１
【補正方法】変更
【補正の内容】
【０１３１】
そして、一対の折曲部５２５ａ、５２５ｂの間にシート状電池１Ａが通っている状態で、前記電極端子板供給部がシート状電池１Ａの負極層３側に負極端子板２２を近接させ、正極層２側に正極端子板２１を近接させる。その状態で挟持可動部５２８が折曲部５２５ａ、５２５ｂをその挟持面部５２９ａ、５２９ｂが互いに接近するよう移動させて、電極端子板２１、２２ごとシート状電池１Ａを挟持する。その後、挟持可動部５２８はその挟持した状態のまま折曲部５２５ａ、５２５ｂを所定角度、例えば挟持面５２９ａ、５２９ｂが水平になるまで回転させる。これにより折曲部５２５ａ、５２５ｂの先端部５２４ａ、５２４ｂによりシート状電池１Ａが折り曲げられる。
【手続補正６】
【補正対象書類名】明細書
【補正対象項目名】０１３４
【補正方法】変更
【補正の内容】
【０１３４】
また、シート折畳機構部１２２Ａは、シート状電池１Ａが所定の距離進むごとに、折曲部５２５ａ、５２５ｂによりシート状電池１Ａを折り曲げること、プレス部５２６ａ、５２６ｂにより押圧すること、及び、プレス部５２６ａ、５２６ｂの押圧と折曲部５２５ａ、５２５ｂによる挟持を解除してシート状電池１Ａを所定の長さ繰り出すこと、を繰り返すことで、蛇腹状のシート状電池１Ａを形成する。電極端子が挿入されたシート状電池１Ａは、トレー１０１上に積み重ねられる。
【手続補正７】
【補正対象書類名】明細書
【補正対象項目名】０１４０
【補正方法】変更
【補正の内容】
【０１４０】
［電極端子供給・電池折畳ステップ］
電池供給部５１から電極端子供給・折畳部５５へシート状電池１Ａが所定の位置まで繰り出されてくると、シート折畳機構部１２２Ａは、電極端子板供給部により電極端子板２１、２２を供給するとともに、折曲部５２５ａ、５２５ｂやプレス部５２６ａ、５２６ｂ等の折り曲げ手段を用いて折り曲げる。詳細な動作については前述した通りなので説明を省略する。これにより、シート状電池１Ａを折り畳むと同時に、正極端子板２１及び負極端子板２２を蛇腹状に折り畳んだシート状電池１Ａの折り畳み部分に配置させることができる。折り曲げられたシート状電池１Ａは、トレー１０１上に積み重ねられる。所定回数折り曲げられたシート状電池１Ａは、シート切断部１２１により切断される。なお、蛇腹状電池１Ａの下面に配置する電極端子板については、あらかじめトレー１０１の所定位置に配置しておいてもよいし、上面に配置する電極端子板については折り畳み完了後に上面に載せてもよい。
【手続補正８】
【補正対象書類名】明細書
【補正対象項目名】０１５８
【補正方法】変更
【補正の内容】
【０１５８】
なお、折り畳まれたシート状電池１０の上面と下面については、片方の面にだけ導電部を設けた正極端子板２３（片面正極端子板２３ともいう）を使用することができる。片面正極端子板２３は、図２１に示すように、一方の面に絶縁層２３１が形成され、他方の面に導電性部材からなる導電部２３２が形成されている。導電部２３２の端部には電線２３３が接続されている。この電線２３３が接続されている側の端部は、折り畳まれたシート状電池１０の上下面に配置された際に、その上下面からはみ出す可能性がある部分であり、両面が絶縁層により被覆されている。電線２３３は電池試験機１１６の正極側端子１１５ａに接続される。この片面正極端子板２３の導電部２３２は、上記した正極端子板２１の導電部２１２と同様に、全面が電気的接触に機能するものであっても良いし、部分的又は多点で電気的接触に機能するものであっても良い。片面正極端子板２３は、折り畳まれたシート状電池１０の上面または下面に、導電部２３２が接触する向きで配置される。この配置は、正極端子板供給部１６５ａ、１６５ｂを用いて行っても良いし、あらかじめトレー１０１上に配置したり、別の手段で折り畳まれたシート状電池の上面に載せても良い。
【手続補正９】
【補正対象書類名】明細書
【補正対象項目名】０１６２
【補正方法】変更
【補正の内容】
【０１６２】
図２１は、第３の実施形態に係る折り畳んだシート状電池１０と電池試験機１１６との接続関係を示す図であり、図２２は、図２１におけるＫ−Ｋ線断面図である。図２１では、折り畳まれたシート状電池１０と、その間や上下面に設けられた電気接続用の正極端子板２１、２３との接触状態を断面図で示している。また、シート状電池１０に接触する正極端子板２１、２３と電池試験機１１６との接続関係も示している。なお、図２１及び図２２では、接触関係を明確にするためにシート状電池１０の厚み方向の寸法を強調して示している。また、図２１は、６つに折り畳んだ例を示しているが、折数はこれに限定されない。
【手続補正１０】
【補正対象書類名】明細書
【補正対象項目名】０１６８
【補正方法】変更
【補正の内容】
【０１６８】
なお、電池試験機１１６は、正極端子板２１と負極層１３との間に電圧をかけたり電流を流したりする機能に加え、正極端子板２１と負極層との間の電流や電圧等の電気特性を測定する機能を有するようにしても良い。また、電池試験機１１６は、測定された電気特性があらかじめ登録されている許容範囲内にあるかどうかを判断して、その測定箇所の電池が正常であるか異常であるかの判定をする機能を有するようにしてもよい。異常箇所はその異常と判定される測定値が測定された正極端子板２１、２３あるいはその導電部が特定されることにより判断される。
【手続補正１１】
【補正対象書類名】明細書
【補正対象項目名】０１７０
【補正方法】変更
【補正の内容】
【０１７０】
（Ｃ−３）第３の実施形態の効果
以上のように、第３の実施形態によれば、シート状電池を交互に折り畳み、その折り畳まれたシート状電池の間に電極端子を挟み込むことにより、第１の実施形態と同様の効果を有することができる。
【手続補正１２】
【補正対象書類名】明細書
【補正対象項目名】０１８１
【補正方法】変更
【補正の内容】
【０１８１】
図２５は、第４の実施形態に係る折り畳んだシート状電池１０Ａと電池試験機１１６との接続関係を示す図である。図２５では、折り畳まれたシート状電池１０Ａと、その間や上下面に設けられた電気接続用の正極端子板２１、２３との接触状態を断面図で示している。また、シート状電池１０Ａに接触する正極端子板２１、２３と電池試験機１１６との接続関係も示している。図２５におけるＬ−Ｌ線断面図は、図２１におけるＫ−Ｋ線断面図（図２２参照）と同じなので説明を省略する。なお、図２５では、接触関係を明確にするためにシート状電池１０Ａの厚み方向の寸法を強調して示している。また、図２５は、６つに折り畳んだ例を示しているが、折数はこれに限定されない。
【手続補正１３】
【補正対象書類名】図面
【補正対象項目名】図２５
【補正方法】変更
【補正の内容】
【図２５】
2016033870.tif 000001